(57)【要約】【課題】撮影画像のサイズに対応した複数の液晶表示パネルを持つ液晶表示装置を安価に或は小型に提供すること。【解決手段】第１の液晶表示パネルの光源となる第１の導光板と、第１の液晶表示パネルとは大きさの異なる第２の液晶表示パネルの光源となる第２の導光板とが１枚の反射シートを挟んで互いの背面を接する位置に配置され、更にこれら２枚の導光板の入光面が同一面にあり、該入光面の近傍に配置された光源が前記２枚の導光板を同時に照射することを特徴とする。【選択図】図１
2006030251.tif 000002
【特許請求の範囲】
【請求項１】
第１の液晶表示パネルの光源となる第１の導光板と、第１の液晶表示パネルとは大きさの異なる第２の液晶表示パネルの光源となる第２の導光板とが１枚の反射シートを挟んで互いの背面を接する位置に配置され、更にこれら２枚の導光板の入光面が同一面にあり、該入光面の近傍に配置された光源が前記２枚の導光板を同時に照射することを特徴とするバックライトシステムを用いた液晶表示装置。
【請求項２】
第１の液晶表示パネルの光源となる第１の導光板と、第１の液晶表示パネルとは大きさの異なる第２の液晶表示パネルの光源となる第２の導光板とが１枚の反射シートを挟んで互いの背面を接する位置に配置され、更に第１の導光板の入光面の対面に第２の導光板の入光面が配置された構造であることを特徴とするバックライトシステムを用いた液晶表示装置。
【請求項３】
表裏に大きさの異なる２枚の液晶表示パネルを具えた液晶表示装置において、該液晶表示装置の片端に回転可能なヒンジと回転を検出するスイッチを設け、該液晶表示装置を回転させたときに使用者に面した側の液晶パネルに画像を表示させ、反対面の液晶パネルには黒画を表示させることを特徴とする請求項１記載の液晶表示装置。
【請求項４】
表裏に大きさの異なる２枚の液晶表示パネルを具えた液晶表示装置において、該液晶表示装置の片端に回転可能なヒンジと回転を検出するスイッチを設け、該液晶表示装置を回転させたときに使用者に面した側のバックライトを点灯させ、反対側のバックライトを消灯させることを特徴とする請求項２記載の液晶表示装置。
【発明の詳細な説明】
【技術分野】
【０００１】
本発明は、カメラ一体型ＶＴＲ等に用いる液晶表示装置に関するものである。
【背景技術】
【０００２】
従来、カメラ一体型ＶＴＲ等に用いる液晶表示装置は、冷陰極管等の光源、光源から照射された光を面上に拡散する導光板、導光板上の光ムラを改善する拡散シート、導光板の背面に回った光を前面に反射させる反射シート、光源の背面に回った光を前方の導光板入光面に反射させるリフレクタから成るバックライトシステムと、画像を表示させる透過型液晶表示パネルによって構成されている。
【０００３】
【特許文献１】特開平１０−１５５１００号公報
【発明の開示】
【発明が解決しようとする課題】
【０００４】
近年、ワイドテレビ、ハイビジョンテレビの普及によってカメラ一体型記録再生装置（カムコーダ）においても横長のワイドサイズの映像を記録再生する機会が増えてきた。
【０００５】
しかしながら、上記従来例にあるカメラ一体型ＶＴＲの液晶表示装置は４：３のアスペクト比のものが一般的であり、ワイドモードでの撮影時には該液晶表示装置の画面上に撮影サイズを示すマーカを表示させる等して撮影モードを撮影者に知らせていた。このように撮影する画像のアスペクト比とそれを表示する表示装置のアスペクト比が異なるが故に、撮影モードが感覚的に分かりにくいという欠点があった。
【０００６】
本発明は、斯かる従来の課題を解決するためになされたものであり、撮影画像のサイズに対応した複数の液晶表示パネルを持つ液晶表示装置を安価に或は小型に提供することを目的とする。
【課題を解決するための手段】
【０００７】
上記の目的を達成するため、請求項１記載の発明は、第１の液晶表示パネルの光源となる第１の導光板と、第１の液晶表示パネルとは大きさの異なる第２の液晶表示パネルの光源となる第２の導光板とが１枚の反射シートを挟んで互いの背面を接する位置に配置され、更にこれら２枚の導光板の入光面が同一面にあり、該入光面の近傍に配置された光源が前記２枚の導光板を同時に照射することを特徴とする。
【０００８】
請求項２記載の発明は、第１の液晶表示パネルの光源となる第１の導光板と、第１の液晶表示パネルとは大きさの異なる第２の液晶表示パネルの光源となる第２の導光板とが１枚の反射シートを挟んで互いの背面を接する位置に配置され、更に第１の導光板の入光面の対面に第２の導光板の入光面が配置された構造であることを特徴とする。
【０００９】
請求項３記載の発明は、請求項１記載の発明において、表裏に大きさの異なる２枚の液晶表示パネルを具えた液晶表示装置において、該液晶表示装置の片端に回転可能なヒンジと回転を検出するスイッチを設け、該液晶表示装置を回転させたときに使用者に面した側の液晶パネルに画像を表示させ、反対面の液晶パネルには黒画を表示させることを特徴とする。
【００１０】
請求項４記載の発明は、請求項２記載の発明において、表裏に大きさの異なる２枚の液晶表示パネルを具えた液晶表示装置において、該液晶表示装置の片端に回転可能なヒンジと回転を検出するスイッチを設け、該液晶表示装置を回転させたときに使用者に面した側のバックライトを点灯させ、反対側のバックライトを消灯させることを特徴とする。
【発明の効果】
【００１１】
請求項１に記載の発明によれば、２種類の透過型液晶パネルの光源となる２枚の導光板を１つの光源によって照射しているが故に、反射シート、光源及び点灯回路を共用することができる。即ち、部品コストの削減、部品面積の削減ができ、２枚の液晶パネルを備えた液晶表示装置を低価格で且つ小型に提供することができる。
【００１２】
又、請求項２記載の発明によれば、２種類の透過型液晶パネルの光源となる２枚の導光板が１枚の反射シートを挟んでそれぞれの入光面が対面に位置するように配置している。一般にバックライトを構成する導光板は光源から光を取り入れる入光面側が厚く、反入光面が薄いくさび形状をしている。よって、２枚の導光板をそれぞれの入光面が対面に位置するように配置すると、２枚の導光板を重ねた時の総厚を最も薄くすることができる。よって、２枚の液晶パネルを備えた液晶表示装置を薄型に提供することができる。
【００１３】
又、請求項３記載の発明によれば、請求項１記載の液晶表示装置において、回転可能なヒンジと回転を検出するスイッチを設け、該液晶表示装置を回転させたときに使用者に面した側の液晶パネルに画像を表示させ、反対面の液晶パネルには黒画を表示させることによって、裏面の液晶パネルに不要な画像が表示されることを防ぐことができる。
【００１４】
又、請求項４に記載の発明によれば、請求項２記載の液晶表示装置において、回転可能なヒンジと回転を検出するスイッチを設け、該液晶表示装置を回転させたときに使用者に面した側のバックライトを点灯させ、反対側のバックライトを消灯させることによって、無駄な電力の消費を抑えるとともに、裏面の液晶パネルに不要な画像が表示されることを防ぐことができる。
【発明を実施するための最良の形態】
【００１５】
以下に本発明の実施の形態を添付図面に基づいて説明する。
【００１６】
＜実施の形態１＞
図１は本発明の実施の形態１の特徴を最も良く表す図面であり、同図において、１は第１の透過型液晶表示パネル、２は第１の導光板、３は反射シート、４は第２の導光板、５は第２の透過型液晶表示パネル、６はリフレクタ、７は冷陰極管である。
【００１７】
上記構成において、冷陰極管７から照射された白色光は、直接又はリフレクタ６によって反射し、導光板２及び導光板４の入光面から各導光板に入光する。導光板に入光した光は、導光板に形成された溝形状や導光板裏面に配置された反射シート３によって反射し、導光板表面から出光する。第１の透過型液晶パネル１は、第１の導光板２の光によって、第２の透過型液晶パネル５は、第２の導光板４の光によってそれぞれ画像を表示する。冷陰極管７を点灯させるためにインバータ回路（図示せず）を用いる。
【００１８】
而して、本実施の形態によれば、２種類の透過型液晶パネル１，５の光源となる２枚の導光板２，４を１つの光源７によって照射しているが故に、反射シート、光源及び光源を点灯させるインバータ回路を共用することができる。即ち、部品コストの削減、部品面積の削減ができ、２枚の液晶パネルを備えた液晶表示装置を低価格で且つ小型に提供することができる。
【００１９】
＜実施の形態２＞
図２は本発明の実施の形態２の特徴を最も良く表す図面であり、同図において、１は第１の透過型液晶表示パネル、２は第１の導光板、３は反射シート、４は第２の導光板、５は第２の透過型液晶表示パネル、８は第１のリフレクタ、９は第１の冷陰極管、１０は第２のリフレクタ、１１は第２の冷陰極管である。
【００２０】
上記構成において、第１の冷陰極管９から照射された白色光は、直接又は第１のリフレクタ８によって反射し、第１の導光板２の入光面から入光する。導光板２に入光した光は、導光板２に形成された溝形状や導光板裏面に配置された反射シート３によって反射し、導光板表面から出光する。第１の透過型液晶パネル１は、第１の導光板２の光によって画像を表示する。同様に、第２の冷陰極管１１から照射された白色光は、直接又は第２のリフレクタ１０によって反射し、第２の導光板４の入光面から入光する。導光板４に入光した光は、導光板４に形成された溝形状や導光板裏面に配置された反射シート３によって反射し、導光板表面から出光する。第２の透過型液晶パネル５は、第２の導光板４の光によって画像を表示する。冷陰極管９及び１１を点灯させるためにそれぞれインバータ回路（図示せず）を用いる。
【００２１】
第１の導光板２及び第２の導光板４は、図２のように互いの入光面が対面に位置するよう配置する。
【００２２】
本実施の形態によれば、２種類の透過型液晶パネル１，５の光源となる２枚の導光板２，４を１枚の反射シートを挟んでそれぞれの入光面が対面に位置するよう配置しているが故に、２枚の導光板を重ねた時の総厚を最も薄くすることができる。よって、２枚の液晶パネルを備えた液晶表示装置を薄型に提供することができる。
【００２３】
＜実施の形態３＞
図３は実施の形態３の動作の流れを示すフローチャートである。このフローチャートに示す制御処理は、上述のカメラ一体型ＶＴＲ本体の制御部であるマイコン（図示せず）により予め記憶されたプログラムに従って実行されるものである。
【００２４】
先ず、カメラ一体型ＶＴＲ本体の電源を入れる（ステップＳ１）。次に、回転可能な両面液晶表示装置のうちどちらの液晶パネルが使用者側に面しているかを判別する（ステップＳ２）。
【００２５】
ステップＳ２にて第１の液晶パネルが使用者側に面していると判別したとき第１の液晶パネルに画像を表示する（ステップＳ３）。そして、更に第２の液晶パネルには黒画を表示する（ステップＳ４）。又、ステップＳ２にて第２の液晶パネルが使用者側に面していると判別したときに第２の液晶パネルに画像を表示する（ステップＳ５）。そして、更に第１の液晶パネルには黒画を表示する（ステップＳ６）。
【００２６】
而して、本実施の形態によれば、回転可能な両面液晶表示装置を回転させたときに使用者に面した側の液晶パネルに画像を表示させ、反対面の液晶パネルには黒画を表示させることによって、裏面の液晶パネルに不要な画像が表示されることを防ぐことができる。
【００２７】
＜実施の形態４＞
図４は実施の形態４の動作の流れを示すフローチャートである。このフローチャートに示す制御処理は、上述のカメラ一体型ＶＴＲ本体の制御部であるマイコン（図示せず）により予め記憶されたプログラムに従って実行されるものである。
【００２８】
先ず、カメラ一体型ＶＴＲ本体の電源を入れる（ステップＳ７）。次に、回転可能な両面液晶表示装置のうちどちらの液晶パネルが使用者側に面しているかを判別する（ステップＳ８）。
【００２９】
ステップＳ８にて第１の液晶パネルが使用者側に面していると判別したとき第１の液晶パネルのバックライトを点灯する（ステップＳ９）。そして、更に第２の液晶パネルのバックライトを消灯する（ステップＳ１０）。又、ステップＳ８にて第２の液晶パネルが使用者側に面していると判別したとき第２の液晶パネルのバックライトを点灯する（ステップＳ１１）。そして、更に第１の液晶パネルのバックライトを消灯する（ステップＳ１２）。
【００３０】
而して、本実施の形態によれば、回転可能な両面液晶表示装置を回転させたときに使用者に面した側の液晶パネルのバックライトを点灯させ、反対面の液晶パネルのバックライトを消灯させることによって、裏面の液晶パネルに不要な画像が表示されることを防ぎながらバックライトによる不要な電力消費を抑えることができる。
【図面の簡単な説明】
【００３１】
【図１】本発明の実施の形態１を示す図である。
【図２】本発明の実施の形態２を示す図である。
【図３】本発明の実施の形態３の動作の流れを示すフローチャートである。
【図４】本発明の実施の形態４の動作の流れを示すフローチャートである。
【符号の説明】
【００３２】
１    第１の透過型液晶表示パネル
２    第１の導光板
３    反射シート
４    第２の導光板
５    第２の透過型液晶表示パネル
６    リフレクタ
７    冷陰極管
８    第１のリフレクタ
９    第１の冷陰極管
１０  第２のリフレクタ
１１  第２の冷陰極管
【図１】
2006030251.tif 000003
【図２】
2006030251.tif 000004
【図３】
2006030251.tif 000005
【図４】
2006030251.tif 000006